(57)【要約】【課題】  送風機をハウジングに収納しながらも強制空冷の効率が確保され且つ製造コストを抑えることができる照明器具を提供する。【解決手段】  ハウジング１と、発光ダイオード２０が固定されハウジング１に対し回転可能に連結された灯体２と、ハウジング１に固定された送風機３とを備える。灯体２は一部がハウジング１に収納されている。灯体２は、ハウジング１に対する灯体２の回転に関わらずハウジング１から露出しない位置に開口し送風機３による気流が内部を通過する空冷穴２１１を有する。送風機３をハウジング１に収納しながらも、灯体２の一部がハウジング１に収納されることで強制空冷の効率が確保される。また、灯体２をハウジング１に連結するとともに送風機３の気流を通す部品を設ける場合に比べ、製造コストを抑えることができる。【選択図】図１
2015082359.tif 000002
【特許請求の範囲】
【請求項１】
ハウジングと、
光源が固定され前記ハウジングに対し回転可能に連結された灯体と、
前記ハウジングに固定された送風機とを備え、
前記灯体は一部が前記ハウジングに収納されていて、
前記灯体は、前記ハウジングに対する前記灯体の回転に関わらず前記ハウジングから露出しない位置に開口して前記送風機による気流が通過する空冷穴を有することを特徴とする照明器具。
【請求項２】
前記空冷穴の内側には複数個の放熱フィンが突設されていることを特徴とする請求項１記載の照明器具。
【請求項３】
前記灯体は、前記空冷穴に連通し前記ハウジングの外に露出する通気口を有することを特徴とする請求項１又は請求項２記載の照明器具。
【発明の詳細な説明】
【技術分野】
【０００１】
本発明は、照明器具に関し、より具体的には強制空冷のための送風機を備える照明器具に関するものである。
【背景技術】
【０００２】
従来、天井面等に固定されるハウジングと、光源を保持してハウジングに対し回転可能に支持される灯体を有する照明器具が提供されている。この種の照明器具は、ハウジングを天井面等に固定したままであっても、灯体を回転させることで、光源の光の照射方向を変更することができる。
【０００３】
さらに、この種の照明器具において、灯体を強制空冷する送風機がハウジングに固定されているものがある（例えば、特許文献１参照）。このように送風機をハウジングに固定すれば、送風機が灯体に一体化される場合に比べ、灯体のデザインの自由度が向上する。
【０００４】
しかしながら、上記のように送風機がハウジングに固定されていると、送風機が灯体に一体化される場合に比べ、送風機と灯体との距離が大きくなることで、強制空冷の効率が低下してしまう。
【０００５】
そこで、上記従来例では、上記のような強制空冷の効率の低下を抑えて強制空冷の効率を確保するために、灯体をハウジングに連結するアームの内部に空洞を設けるとともに、この空洞を通じて灯体の内側へ送風機の風を送り込んでいた。
【先行技術文献】
【特許文献】
【０００６】
【特許文献１】特開昭６３−２９４０２号公報
【発明の概要】
【発明が解決しようとする課題】
【０００７】
上記従来の照明器具では、アームの内部に上記の空洞を設けるために製造コストが比較的に高くなっていた。
【０００８】
本発明は、上記事由に鑑みて為されたものであり、その目的は、送風機をハウジングに収納しながらも強制空冷の効率が確保され且つ製造コストを抑えることができる照明器具を提供することにある。
【課題を解決するための手段】
【０００９】
本発明の照明器具は、ハウジングと、光源が固定され前記ハウジングに対し回転可能に連結された灯体と、前記ハウジングに固定された送風機とを備え、前記灯体は一部が前記ハウジングに収納されていて、前記灯体は、前記ハウジングに対する前記灯体の回転に関わらず前記ハウジングから露出しない位置に開口して前記送風機による気流が通過する空冷穴を有することを特徴とする。
【００１０】
上記の照明器具において、前記空冷穴の内側には複数個の放熱フィンが突設されていることが望ましい。
【００１１】
また、上記の照明器具において、前記灯体は、前記空冷穴に連通し前記ハウジングの外に露出する通気口を有することが望ましい。
【発明の効果】
【００１２】
本発明によれば、送風機をハウジングに収納しながらも、灯体の一部がハウジングに収納されることで強制空冷の効率が確保される。また、灯体をハウジングに連結するとともに送風機の気流を通す部品を設ける場合に比べ、製造コストを抑えることができる。
【図面の簡単な説明】
【００１３】
【図１】本発明の実施形態に係る照明器具を示す一部破断した斜視図である。
【図２】同上の要部を示す断面図である。
【図３】同上を示す斜視図である。
【図４】同上において図３の状態から灯体が回転した状態を示す斜視図である。
【図５】同上における灯体のボディとカバーとを示す斜視図である。
【図６】同上におけるハウジングのベースを示す斜視図である。
【図７】本発明の実施形態に係る照明器具の第１の変更例を示す一部破断した斜視図である。
【図８】同上における灯体のボディとカバーとを示す一部破断した斜視図である。
【図９】同上におけるカバーが取り外された灯体を示す平面図である。
【図１０】本発明の実施形態に係る照明器具の第２の変更例を示す斜視図である。
【図１１】同上において図１０の状態から灯体が回転した状態を示す斜視図である。
【図１２】本発明の実施形態に係る照明器具の第３の変更例におけるハウジングのベースを示す斜視図である。
【図１３】同上を示す一部破断した斜視図である。
【図１４】同上の要部を示す一部破断した斜視図である。
【図１５】同上における灯体のボディとカバーとを示す斜視図である。
【発明を実施するための形態】
【００１４】
本発明の照明器具は、ハウジング１と、光源（発光ダイオード２０）が固定されハウジング１に対し回転可能に連結された灯体２と、ハウジング１に固定された送風機３とを備える。また、灯体２は一部がハウジング１に収納されている。さらに、灯体２は、ハウジング１に対する灯体２の回転に関わらずハウジング１から露出しない位置に開口して送風機３による気流が通過する空冷穴２１１を有する。
【００１５】
上記の照明器具において、空冷穴２１１の内側には複数個の放熱フィン２１２が突設されていることが望ましい。
【００１６】
また、上記の照明器具において、灯体２は、空冷穴２１１に連通しハウジング１の外に露出する通気口２１３を有することが望ましい。
【００１７】
以下、本発明を実施するための最良の形態について、図面を参照しながら説明する。
【００１８】
本実施形態の照明器具は、図１〜図４に示すように、ハウジング１と、光源としての発光ダイオード２０を保持しハウジング１に対して回転可能に連結された灯体２とを備える。以下、図１の紙面上における上方向（上側）を上方向（上側）として説明する。
【００１９】
ハウジング１は細長い直方体形状であって、長手方向を配線ダクト５の長さ方向に向けて、上面を配線ダクト５に向けて配線ダクト５の下側に取り付けられる。
【００２０】
配線ダクト５は、下方に開口した接続溝５０を有する樋状のものである。また、配線ダクト５は、下端部の幅方向の両端から幅方向の内向きに突設された内鍔５１と、内鍔５１よりも上側において接続溝５０の幅方向に対向する内面から幅方向の内向きに突設された端子保持部５２とを有する。各内鍔５１と各端子保持部５２とは、それぞれ配線ダクト５の全長にわたって設けられた突条となっている。さらに、各端子保持部５２には、例えば金属のような導電材料からなる端子（図示せず）が保持されている。この端子は、電源（図示せず）に対して電気的に接続され、電源から照明器具へ電力を伝送する電路となる。上記のような配線ダクト５は、天井（図示せず）に対して例えばねじ止めにより固定される。
【００２１】
ハウジング１は、上面が開口した収納凹部１０を有するベース１１と、ベース１１に結合して収納凹部１０を閉塞するカバー１２とを備える。カバー１２をベース１１に結合させる手段としては、例えば嵌合や接着やねじ止めといった周知の手段を用いることができる。さらに、カバー１２の上面の長手方向の両端部には、それぞれ、配線ダクト５の接続溝５０に挿入される接続部１３が設けられている。各接続部１３は、それぞれ、上下方向において内鍔５１と端子保持部５２との間に挟まれる鍔部１３１を有する。さらに、少なくとも一方の接続部１３には、例えば金属のような導電材料からなり端子保持部５２に保持された端子に接触導通する接触子（図示せず）が設けられる。接続部１３を配線ダクト５に接続する際には、配線ダクト５の長さ方向の一端から内鍔５１と端子保持部５２との間に鍔部１３１を導入する。
【００２２】
ハウジング１内（収納凹部１０内）には、端子保持部５２に保持された端子と接続部１３の接触子とを通じて供給された電力を、発光ダイオード２０を点灯させる直流電力に変換する電源回路（図示せず）が収納されている。上記の電源回路は例えばバックコンバータを用いて周知技術により実現可能であるので、詳細な説明は省略する。上記の電源回路は、例えば電線（図示せず）を介して発光ダイオード２０に電気的に接続される。
【００２３】
また、ベース１１の下面の長手方向の一端部（図での右端部）には、円形状の貫通孔であって灯体２が挿通される灯体挿通孔１１０が開口している。さらに、カバー１２において、灯体挿通孔１１０の上側となる位置には、軸流ファンからなる送風機３が、回転軸を上下方向へ向けてカバー１２を貫通する形で固定されている。なお、送風機３としては、上記のような軸流ファンに代えて、遠心ファンを用いてもよい。または、送風機３として、圧電素子や静電アクチュエータなどでダイアフラムを振動させることにより気流を発生させるものを用いてもよい。送風機３が発生させる気流の向きは、灯体２とは逆向き（上向き）であっても強制空冷の効果は得られるが、効率の観点からは、灯体２向き（下向き）であることが望ましい。
【００２４】
灯体２は、全体として球形状であって、発光ダイオード２０を収納した光源用凹部２１０を有するボディ２１と、透光性を有する材料からなりボディ２１に結合して光源用凹部２１０を閉塞する透光カバー２２とを備える。発光ダイオード２０は例えば接着により光源用凹部２１０の底面に固定され、発光ダイオード２０の光は透光カバー２２を通じて灯体２の外に出射する。ボディ２１の材料としては熱伝導率が高い材料が用いられることが望ましく、例えばアルミニウムを用いることができる。また、透光カバー２２の材料としては、例えばアクリル樹脂やポリカーボネートを用いることができる。さらに、透光カバー２２をボディ２１に結合させる方法としては、例えば嵌合や接着を用いることができる。
【００２５】
さらに、ボディ２１には、図５に示すように、光源用凹部２１０とは逆向きに開口して送風機３による気流が流入する空冷穴２１１が設けられている。また、空冷穴２１１の内側には、複数個の放熱フィン２１２が突設されている。上記のような放熱フィン２１２を設ければ、放熱フィン２１２が設けられない場合に比べ、ボディ２１の表面積が大きくなることにより強制空冷の効率を向上することができる。
【００２６】
また、灯体２は、ボディ２１に結合して空冷穴２１１を略覆うカバー２３を備える。カバー２３は例えばねじ止めによってボディ２１に結合する。また、カバー２３は、それぞれ空冷穴２１１の内外を連通させる貫通孔である２個の通気孔２３１を有する。２個の通気孔２３１は、空冷穴２１１の開口縁に沿って並んでいる。
【００２７】
さらに、ベース１１は、図６に示すように、両端部がそれぞれ灯体挿通孔１１０の開口近傍に連結され中央部が上方に膨らんだ円弧形状の灯体連結部１１１を有し、ハウジング１は灯体連結部１１１の中央部において連結部材４を介して灯体２に連結されている。
【００２８】
灯体連結部１１１は連結部材４が挿通される軸挿通孔１１２を有する。軸挿通孔１１２は、例えば円形状の貫通孔である。また、灯体２のカバー２３は、連結部材４が挿通される軸挿通スリット２３０を有し、軸挿通スリット２３０の一端部は２個の通気孔２３１に挟まれている。連結部材４は、灯体連結部１１１の軸挿通孔１１２とカバー２３の軸挿通スリット２３０とを貫通する円柱形状の胴部４０を有する。また、連結部材４は、胴部４０の軸方向の一端および他端に設けられてそれぞれ胴部４０よりも径方向に突出した第１鍔部４１及び第２鍔部４２を有する。上記のような連結部材４は、例えばナットとこれにねじ込まれたボルトとで構成することができ、この場合、ボルトの胴部が連結部材４の胴部４０となり、ボルトの頭部とナットとの一方が第１鍔部４１となって他方が第２鍔部４２となる。灯体連結部１１１の軸挿通孔１１２は第１鍔部４１を挿通不可能な寸法形状とされており、第１鍔部４１が灯体連結部１１１の上側に位置することで灯体連結部１１１の下方への連結部材４の脱落は阻止される。また、軸挿通スリット２３０の幅寸法は、胴部４０の外径よりも大きく且つ第２鍔部４２の外径よりも小さくされており、第２鍔部４２がカバー２３の下側に位置することでハウジング１の下方への灯体２の脱落は阻止されている。さらに、連結部材４の胴部４０が軸挿通スリット２３０内で変位することで、灯体２はハウジング１に対し上下方向に直交する回転軸周りに回転可能となっている。この回転により、発光ダイオード２０の光の照射方向の俯角を変更することができる。また、ハウジング１に対して連結部材４を胴部４０の中心軸周りに回転させること、又は、連結部材４に対して灯体２を胴部４０の中心軸周りに回転させることで、ハウジング１に対して灯体２を上下方向に平行な回転軸周りに回転させることができる。この回転により、発光ダイオード２０の光の照射方向の方位角を変更することができる。発光ダイオード２０への給電用の電線（図示せず）は、例えば連結部材４において軸方向（上下方向）に貫通した貫通孔（図示せず）を設けてこれに通すことができる。
【００２９】
送風機３による気流は、カバー２３の通気孔２３１や軸挿通スリット２３０を通じて空冷穴２１１に出入りして空冷穴２１１内を通過する。これにより、発光ダイオード２０の強制空冷が達成される。
【００３０】
空冷穴２１１の開口（送風機３による気流の出入り口）となっている通気孔２３１の位置は、ハウジング１に対する灯体２の回転に関わらず（灯体２がハウジング１に対して可動範囲内でどのように回転しても）ハウジング１外に露出しない位置となっている。
【００３１】
上記構成によれば、送風機３をハウジング１に収納しながらも、灯体２の一部がハウジング１に収納されることで強制空冷の効率が確保される。また、灯体２をハウジング１に連結する連結部材４のような部品に気流を通す場合に比べ、製造コストを抑えることができる。
【００３２】
なお、図７〜図９に示すように、空冷穴２１１に連通してハウジング１の外側に露出した開口である通気口２１３を、灯体２のボディ２１に設けてもよい。図７〜図９の例では、灯体２は、光源用凹部２１０の内周面を覆う筒形状の反射板２４を有する。反射板２４は、発光ダイオード２０を囲む一端部（図８での上端部）から他端部（図８での下端部）へ向かって内径及び外径を大きくする筒形状となっており、内周面において発光ダイオード２０の光を反射する。また、反射板２４は、外周面と光源用凹部２１０の内周面との間に隙間をあける形でボディ２１に固定されており、通気口２１３は、上記の隙間を通じて空冷穴２１１に連通している。反射板２４をボディ２１に固定する手段としては、例えば接着を用いることができる。また、空冷穴２１１を気流が通過しやすいように、放熱フィン２１２間には適宜の隙間が設けられている。通気口２１３は、送風機３が上向きの気流を発生させるものであれば吸気口となり、送風機３が下向きの気流を発生させるものであれば排気口となる。上記のような通気口２１３を設ければ、強制空冷の効率の向上が可能である。ただし、上記のような通気口２１３を設けず、空冷穴２１１の開口はハウジング１外に露出しないもののみとすれば、見栄えの改善が可能であるという利点がある。
【００３３】
また、ハウジング１は直方体形状でなくともよい。例えば、図１０及び図１１に示すように、灯体２の外面に沿ってハウジング１の他の部位よりも膨出する膨出部１１３をハウジング１のベース１１に設ければ、ハウジング１において膨出部１１３以外の部位の寸法を灯体２の直径の割に小さくすることができる。
【００３４】
さらに、灯体２をハウジング１に回転可能に連結する構造も適宜変更可能である。例えば、灯体連結部１１１をベース１１の他の部位に連結する位置は、図６のようにハウジング１の短手方向において灯体挿通孔１１０を挟む両側とする代わりに、図１２のようにハウジング１の長手方向において灯体挿通孔１１０を挟む両側とされていてもよい。また、灯体連結部１１１の形状も円弧形状に限られず、連結部材４や灯体２の動作を阻害しない形状であれば、例えば図１２のように角を有する形状であってもよい。さらに、連結部材４は、第２鍔部４２に代えて、図１３や図１４に示すように、細長い形状であって長手方向の中央部を胴部４０の下端に連結された肩部４３と、肩部４３の長手方向の両端部からそれぞれ下方に突設された腕部４４とを有するものであってもよい。上記のような連結部材４は、例えば、肩部４３及び腕部４４を構成する金属板と、肩部４３の中央部にねじ込まれたボルトとで構成することができ、この場合には、ボルトの胴部が連結部材４の胴部４０を構成し、ボルトの頭部が第１鍔部４１を構成する。この場合、灯体２は、各腕部４４の下端部に対して回転可能に連結される。具体的には、図１３〜図１５に示すように、ボディ２１及びカバー２３において径方向の両端部にはそれぞれ腕部４４が挿通されるスリット２１４，２３２が設けられている。そして、ボディ２１のスリット２１４内で腕部４４の下端部がボディ２１にねじ止めされることで、灯体２は連結部材４に対して回転可能に連結されている。ボディ２１には、上記のスリット２１４の下端部に連通したねじ止め用穴２１５がスリット２１４毎に設けられており、上記のねじ止めの際には上記のねじ止め用穴２１５にねじ（図示せず）やドライバー（図示せず）を挿通することができる。図１２〜図１５の例においても、空冷穴２１１の開口となるカバー２３の通気孔２３１は、ハウジング１に対する灯体２の回転に関わらずハウジング１の外側には露出しない位置に設けられている。なお、図１２〜図１５の例では灯体２の支持にカバー２３が関わっていないので、カバー２３を省略することができる。カバー２３を省略する場合、空冷穴２１１の開口の範囲は、ハウジング１に対する灯体２の回転に関わらずハウジング１の外側には露出しない範囲とされることが、見栄えのためには望ましい。また、図１２〜図１５の例においても、空冷穴２１１の内面に放熱フィンを設けることや、ボディ２１においてハウジング１から露出する部位に開口し空冷穴２１１に連通した通気口を設けることは可能である。さらに、上記以外の各部の形状も適宜変更可能であり、例えば図１２〜図１５の例において２個の通気孔２３１を連結して１個にしてもよい。
【符号の説明】
【００３５】
１  ハウジング
２  灯体
３  送風機
２０  発光ダイオード（光源）
２１１  空冷穴
２１２  放熱フィン
２１３  通気口
２３１  通気孔（空冷穴の開口）
【図１】
2015082359.tif 000003
【図２】
2015082359.tif 000004
【図３】
2015082359.tif 000005
【図４】
2015082359.tif 000006
【図５】
2015082359.tif 000007
【図６】
2015082359.tif 000008
【図７】
2015082359.tif 000009
【図８】
2015082359.tif 000010
【図９】
2015082359.tif 000011
【図１０】
2015082359.tif 000012
【図１１】
2015082359.tif 000013
【図１２】
2015082359.tif 000014
【図１３】
2015082359.tif 000015
【図１４】
2015082359.tif 000016
【図１５】
2015082359.tif 000017